(57)【要約】【課題】表示装置側の主導で解像度に応じて１または複数の画面を表示する。【解決手段】映像表示装置１００は接続された映像出力装置２００との間で映像情報および制御コマンドが転送可能なＨＤＭＩインターフェイスを備えている。この映像表示装置はさらに、外部映像および／または内部映像を表示する１または複数の表示エリアを有する映像表示部１２２と、前記外部映像を含めて複数の映像（外部映像と内部映像）を前記映像表示部が同時に表示する場合に前記表示エリアの解像度情報を前記制御コマンドにより前記映像出力装置へ通知する通知手段１１０〜１１２を備えている。【選択図】    図１
2010108372.tif 000002
【特許請求の範囲】
【請求項１】
映像出力装置に接続可能であって、接続された前記映像出力装置との間で映像情報および制御コマンドが転送可能に構成されたデジタルインターフェイスと、
前記デジタルインターフェイスを介して前記映像出力装置から送られてくる前記映像情報に存在する外部映像または前記デジタルインターフェイスを介さないで得られる内部映像を含めて、１または複数の映像を表示する１または複数の表示エリアを有する映像表示手段と、
前記外部映像を含めて複数の映像を前記映像表示手段が同時に表示する場合に、前記表示エリアの解像度情報を、前記制御コマンドを用いて前記映像出力装置へ通知する通知手段を具備した映像表示装置。
【請求項２】
前記通知手段が前記映像出力装置に前記解像度情報を通知するモードを設け、このモードに入ったら、前記通知手段が前記映像出力装置に前記解像度情報を通知するように構成した請求項１に記載の映像表示装置。
【請求項３】
前記デジタルインターフェイスを介して前記映像出力装置と前記映像表示装置の間の論理的な接続が確立したときに、前記通知手段が前記映像出力装置に前記解像度情報を通知するように構成した請求項１に記載の映像表示装置。
【請求項４】
前記映像表示手段は複数種類の表示解像度を持ち、この表示解像度が変更された場合に、前記通知手段が前記映像出力装置に前記解像度情報を通知するように構成した請求項１に記載の映像表示装置。
【請求項５】
前記映像表示手段の表示エリアは１ないし複数種類の固定サイズまたは可変サイズを持ち、前記外部映像を表示する表示エリアの現在サイズ情報を前記通知手段が前記映像出力装置へ通知するように構成した請求項１ないし請求項４のいずれか1項に記載の映像表示装置。
【請求項６】
映像情報および制御コマンドが転送可能に構成された第1のデジタルインターフェイスを備えた映像表示装置と、映像情報および制御コマンドが転送可能に構成され前記第1のデジタルインターフェイスに接続される第２のデジタルインターフェイスを備えた映像出力装置を含む映像システムにおいて、
前記映像表示装置は、前記第１および第２のデジタルインターフェイスを介して前記映像出力装置から送られてくる前記映像情報に存在する外部映像または前記第１および第２のデジタルインターフェイスを介さないで得られる内部映像を含めて１または複数の映像を表示する１または複数の表示エリアを有する映像表示手段と、前記外部映像を含めて複数の映像を前記映像表示手段が同時に表示する場合に前記表示エリアのサイズ情報と前記表示エリアの解像度情報を前記制御コマンドにより前記映像出力装置へ通知する通知手段を具備し、
前記映像出力装置は、前記制御コマンドにより通知された前記サイズ情報と前記解像度情報をもとに、前記第１および第２のデジタルインターフェイスを介して前記映像表示装置へ送る前記外部映像に所定の処理を加える手段を具備し、処理後の前記外部映像が前記映像表示装置の表示エリア内で表示されるように構成した映像システム。
【請求項７】
前記外部映像と前記内部映像が同時に並んで表示される場合において、前記外部映像の表示の大きさが相対的に小さくなりすぎるときは、前記表示エリアとの比較において前記外部映像の表示サイズが相対的に大きくなるように構成される請求項６に記載の映像システム。
【請求項８】
前記外部映像と前記内部映像が同時に並んで表示される場合において、前記外部映像の一部が欠けてしまうときは、前記外部映像の一部欠けが取り除かれるように構成される請求項６に記載の映像システム。
【請求項９】
前記外部映像と前記内部映像が同時に並んで表示される場合において、前記外部映像が文字を含むときは、前記内部映像の視聴位置において前記文字が判読できるように前記外部映像の表示サイズおよび／またはその解像度が定められる請求項６に記載の映像システム。
【請求項１０】
映像出力装置との間で映像情報および制御コマンドが転送可能に構成されたデジタルインターフェイスを有する映像表示装置を用い、前記デジタルインターフェイスを介して前記映像出力装置から送られてくる前記映像情報に存在する外部映像または前記デジタルインターフェイスを介さないで得られる内部映像を含めて、１または複数の映像を表示する方法において、
前記外部映像を含めて複数の映像を同時に表示する場合に、その表示エリアの解像度情報を、前記制御コマンドを用いて前記映像表示装置から前記映像出力装置へ通知する映像表示方法。
【請求項１１】
映像出力装置から送られてくる映像または放送受信装置から送られてくる映像を含めて、１または複数の映像を表示する１または複数の表示エリアを有する映像表示手段と、
前記複数の映像を前記映像表示手段で同時に表示させる際に、前記映像表示手段へ複数画面の表示を命令する命令手段と、
前記命令手段の命令に従い前記複数の映像を前記映像表示手段が同時に表示する場合に、前記表示エリアの解像度情報を前記映像出力装置へ通知する通知手段を具備した映像装置。
【発明の詳細な説明】
【技術分野】
【０００１】
この発明は、１以上の映像を表示する映像表示装置、映像表示方法および映像システムに関する。
【背景技術】
【０００２】
１以上の映像を表示する映像装置を開示した公知例として、特許文献１の映像・画像出力装置あるいは、特許文献２の映像表示装置及び多画面表示方法がある。
【特許文献１】特開２００６−１３９８７号公報
【特許文献２】特開２００８−７９０７７号公報
【発明の開示】
【発明が解決しようとする課題】
【０００３】
特許文献１は、映像出力手段と、指定の画像領域に画像を出力する画像信号出力手段と、映像画像合成手段に加え、映像出力手段から映像種類・映像解像度、外部モニタよりモニタ解像度、リモコンより使用者指定解像度を取得し、それらの組合せに基づいて最適な画像表示領域を決定して、当該画像表示領域の画像を出力する画像表示領域通知手段と、映像信号および画像信号を合成する映像画像合成手段を備えた映像・画像出力装置を開示している（要約参照）。この装置では、多様な映像解像度をもつ映像信号、多様な解像度のモニタ、使用者によるモニタ解像度操作に対応して、適切な画面解像度を決定できるようになっている（段落００１５参照）。
【０００４】
特許文献２は、テレビ画面とブラウザ画面とが同時に表示可能な映像表示装置において、表示領域を分割し、解像度に適合させて表示する装置を開示している（要約参照）。この装置では、少ないスクロール量でホームページを閲覧できるようになっている（段落００１４参照）。
【０００５】
特許文献１および特許文献２の発明には、解像度に応じた多画面表示を行える効果があるが、その効果を得る際の主導権を表示装置側が持っていない。表示装置側が主導権を持たない場合では、映像出力装置側から何らかの働きかけがあるまでは映像表示装置側で表示解像度等を決定する行動に移ることができない。
【０００６】
この発明の課題の１つは、表示装置側の主導で、解像度に応じて１または複数の画面を表示することである。
【課題を解決するための手段】
【０００７】
この発明の一実施の形態に係る映像表示装置は、有線または無線で接続された映像出力装置との間で映像情報および制御コマンドが転送可能なデジタルインターフェイスを備えている。この映像表示装置はさらに、前記デジタルインターフェイスを介して前記映像出力装置から送られてくる前記映像情報に存在する外部映像または前記デジタルインターフェイスを介さないで得られる内部映像を含めて、１または複数の映像（外部映像および／または内部映像）を表示する１または複数の表示エリアを有する映像表示手段と、前記外部映像を含めて複数の映像を前記映像表示手段が同時に表示する場合に前記表示エリアの解像度情報を前記制御コマンドにより前記映像出力装置へ通知する通知手段を備えている。
【発明の効果】
【０００８】
前記映像表示装置で複数映像を同時表示する場合には前記映像表示装置が前記映像出力装置に前記制御コマンドを送るようにして、表示解像度の決定等に関する主導権を前記映像表示装置が握る。
【発明を実施するための最良の形態】
【０００９】
以下、図面を参照してこの発明の種々な実施の形態を説明する。図１は、この発明の一実施の形態に係る映像表示装置（デジタルＴＶ等）および映像出力装置（パーソナルコンピュータＰＣ等）を含むシステム構成の一例を説明する図である。また、図２は、図１のシステム構成における処理例を説明するフローチャートである。
【００１０】
図１、図２の例では、映像表示装置１００と映像出力装置２００を結ぶデジタルインターフェイスの例として、ＨＤＭＩ（High Definition Multimedia Interface）が用いられている。ＨＤＭＩ規格の伝送ラインには、ＣＥＣ(Consumer Electronics Control)ラインと称される、双方向に制御データの伝送が可能なラインが、映像データの伝送ラインとは別に用意されている。ＨＤＭＩ規格の伝送ラインを介して相互接続されたソース機器（情報の送り手）とシンク機器（情報の受け手）との間での制御には、ＣＥＣのコマンドを用いることができる。このＣＥＣラインを使って相手の機器（ＨＤＭＩ−ＣＥＣ対応機器）を制御することができる。
【００１１】
図１の構成において、ユーザから映像表示装置１００への機能操作は、リモートコントローラ１０２に入力される。リモートコントローラ１０２に入力されたユーザ操作はリモートコントローラ受信部１０４で受信される。ユーザから映像表示装置１００への機能操作は、映像表示装置１００の操作パネル（図示せず）に設けられたユーザ操作部１０６から入力することもできる。ユーザがリモートコントローラ１０２あるいは操作部１０６から複数画面表示モードを指示すると、受信部１０４あるいは操作部１０６からユーザ操作制御部１０８へ複数画面表示操作情報が送られ、複数画面表示の処理に入る（図２のＳＴ１００）。
【００１２】
ユーザ操作制御部１０８は、複数画面表示操作情報を受け取ると（ＳＴ１０２）、映像出力処理部１２０へ複数画面表示命令を送信し、解像度情報生成部１１０へ表示モード情報を送信する（ＳＴ１０４）。解像度情報生成部１１０は、表示モード情報を受け取ると、受け取った情報から解像度の変更が必要かどうかを判断する（ＳＴ１０６）。この判断がどのような基準で行われるのかの具体例については、図６等を参照して後述する。なお、解像度情報生成部１１０は各表示エリアのサイズ等の情報を含む表示エリアデータ、装置１００側で対応可能な解像度等の情報を含む解像度データのメモリ１００ａを備えている。
【００１３】
解像度の変更が必要な場合（ＳＴ１０８イエス）、解像度情報生成部１１０はＨＤＭＩレシーバ１１２に解像度情報（表示解像度の情報）を送信する（ＳＴ１１０）。この解像度情報を送信する際に、表示エリアのサイズ、位置、数などの情報を併せて送信してもよい。ＨＤＭＩレシーバ１１２は、解像度情報を受け取ると（ＳＴ１１８）、映像出力装置２００に解像度変更を通知するＣＥＣコマンドを、ＨＤＭＩケーブル（図１のＨＤＭＩレシーバ１１２とＨＤＭＩトランスミッタ２０２の間の矢印線に対応）に送出する（ＳＴ１２０）。
【００１４】
このＣＥＣコマンドの送出をきっかけに（つまり映像表示装置１００側の主導で）、映像出力装置２００側の処理が開始される。すなわち、ＨＤＭＩレシーバ１１２からＨＤＭＩケーブルを介して送られてきたＨＤＭＩ−ＣＥＣコマンドをＨＤＭＩトランスミッタ２０２が検知する（ＳＴ２０２）。ＨＤＭＩトランスミッタ２０２は、検知したＣＥＣコマンドを解像度変更情報に変換し、解像度制御部２０４に送信する（ＳＴ２０４）。解像度制御部２０４は、解像度変更情報を受け取ると、解像度変更等の信号処理部２０６に、受け取った解像度変更情報に対応する解像度変更命令を送信する（ＳＴ２０６）。
【００１５】
解像度変更等の処理部２０６は、映像信号出力部２０８からの映像信号に対して解像度変換等の信号処理を施す。この信号処理が施された映像信号は、ＨＤＭＩトランスミッタ２０２からＨＤＭＩケーブルを介してＨＤＭＩレシーバ１１２に送られる。ＨＤＭＩレシーバ１１２は、ＨＤＭＩトランスミッタ２０２からの映像信号の受け取り、映像信号出力処理部１２０に映像信号を出力する。
【００１６】
一方、第１ＴＶチューナ１２４は例えば地上デジタル放送波を受信し、受信した地上デジタル放送の映像信号を映像出力処理部１２０に出力する。第２ＴＶチューナ１２６は、例えば放送衛星（ＢＳ）または通信衛星（ＣＳ）からのデジタル放送波を受信し、受信したＢＳ／ＣＳデジタル放送の映像信号を映像出力処理部１２０に出力する。
【００１７】
他方、ＩＥＥＥ１３９４インターフェイス１１４経由で接続された映像出力装置（デジタルビデオプレーヤ、セットトップボックスＳＴＢ等）３００からの映像信号は、適宜、映像出力処理部１２０へ送られる。また、ＩＥＥＥ８０２．３のＬＡＮターミナル１１６経由でネットワーク接続（有線接続または無線接続）された映像出力装置（デジタルビデオレコーダ、ＰＣ等）４００からの映像信号も、適宜、映像出力処理部１２０へ送られる。さらに、ＵＳＢインターフェイス１１８経由で接続された映像出力装置（コンピュータゲーム機、ＰＣ等）５００からの映像信号も、適宜、映像出力処理部１２０へ送られる。あるいは、図示しないが、メモリスロットに装填されたメモリカード（ＩＣカード）からの画像または映像信号も、適宜、映像出力処理部１２０へ送られる。
【００１８】
映像出力処理部１２０は、ＨＤＭＩレシーバ１１２から入力された映像出力装置２００からの映像信号に含まれる外部映像と、第１ＴＶチューナ１２４および／または第２ＴＶチューナ１２４からの映像信号に含まれる内部映像を、それぞれ所定の表示サイズを持つ複数の表示エリアに振り分ける処理を行う。これにより、各々の表示エリアにおいて、外部映像および内部映像が所定の解像度で同時に表示される映像信号が作成され（ＳＴ１２２）、作成された映像信号が映像表示部（フラットパネルディスプレイ、プロジェクタ等）１２２に送られる。
【００１９】
以上の例では、多画面同時表示される複数映像の一部となる外部映像として、ＨＤＭＩインターフェイスを介して接続された映像出力装置２００からの映像を用いている。しかしこれはあくまで一例であって、ＩＥＥＥ１３９４インターフェイスを介して接続された映像出力装置３００からの映像を、多画面同時表示される外部映像として用いてもよい。その際は、ＨＤＭＩ−ＣＥＣコマンドに代わってＩＥＥＥ１３９４のＡＶ／Ｃコマンドを利用することができる。具体的には、映像表示装置１００と映像出力装置３００との間でＡＶ／Ｃコマンド規格上のVendorDependentコマンドおよびこのコマンドに対応する応答データを利用した情報交換が可能である。
【００２０】
さらに、ＨＤＭＩやＩＥＥＥ１３９４以外に、ＩＥＥＥ８０２．３やＵＳＢも映像出力装置との接続に利用可能である。ＩＥＥＥ８０２．３経由で接続された映像出力装置４００からの映像、あるいはＵＳＢ経由で接続された映像出力装置５００からの映像を、多画面同時表示される外部映像として用いてもよい。また、図示しないカードスロットに装着されたメモリカード（ＩＣカード）からの画像を、多画面同時表示される外部映像として用いることもできる。
【００２１】
図３は、映像出力装置（パーソナルコンピュータＰＣ）２００と映像表示装置（デジタルＴＶ）１００の間でＨＤＭＩ接続が確立してＰＣ画面をＴＶ側に送る初期段階を説明する図である。この段階では、ＰＣ２００からの出力映像をＨＤＭＩでＴＶ１００に出力することにより、ＴＶ１００でＰＣ２００からの出力映像を大画面表示（１画面表示）することができる（図６（ａ）参照）。
【００２２】
図４は、映像表示装置（ＴＶ）１００から映像出力装置（ＰＣ）２００へ制御コマンド（ＨＤＭＩ−ＣＥＣ）により表示解像度情報が送られる段階を説明する図である。また、図５は、映像表示装置１００の１画面表示が２画面表示に切り替わった場合を説明する図である。さらに、図６は、映像出力装置２００からのＰＣ画面が映像表示装置１００の２画面表示エリアにどのように表示されるかを例示する図である。
【００２３】
映像表示装置（ＴＶ）１００のユーザがＰＣ画面以外にＴＶも見たいと欲してＴＶ１００の表示モードを２画面表示に切り替えると、ＴＶ１００の映像表示部１２２の表示エリアは、図５に例示するように、放送波映像表示領域１２２ａとＰＣ画面表示領域１２２ｂに別れる（表示領域１２２ａと表示領域１２２ｂの表示サイズと表示位置および表示解像度は予めメモリ１００ａ等に設定されているものとする）。その際、表示エリアはＸ＊Ｙピクセルという大サイズからＯ＊Ｐピクセルという小サイズに変更され、この小サイズの表示エリア１２２ｂでＰＣ画面を見ることになる。すると、表示サイズが小さくなったことからＰＣ画面が見にくくなったり（図６（ｂ））、ＰＣ画面に表示されるべき画像の一部か欠けたり（図６（ｄ））する不都合が生じる。しかし、この時点ではＰＣはその不都合を関知していないので、ＴＶ側からなにもしないとＴＶ１００におけるＰＣ画面の見にくさはそのまま放置されてしまう。
【００２４】
そこで、ＴＶ１００側の主導で、ＴＶ１００側から、図４に示すように、ＰＣ画面表示領域１２２ｂの表示解像度等に関する情報（ＰＣ画面の表示エリアがＯ＊Ｐピクセルに変更されたこと等を含む情報）を、ＨＤＭＩ−ＣＥＣコマンドを利用して、ＰＣ２００側に送信する（図２のＳＴ１２０参照）。この情報を受け取ったＰＣ２００は、現在ＴＶ１００側に出力している映像がＯ＊Ｐピクセルの表示エリア１２２ｂに丁度よく収まるように、ＴＶ１００の現在の表示解像度に応じて、出力解像度を変更する（図１の制御部２０４から処理部２０６へその変更が命令される）。
【００２５】
図６（ａ）、（ｂ）、（ｄ）は、ＴＶ１００が２画面表示モードに移行した時に行う従来処理を表している。ここでは、その具体的な例として、スケーリングモードとトリミングモードを挙げている。スケーリングモード（従来処理）では、ＰＣ出力画面全体が画面表示されるが、表示画面が縮小処理（スケーリング）されてしまい、ＴＶ視聴者が文字や映像の判別がし難くなってしまうという問題がある。また、トリミングモードでは（従来処理）では、ＰＣ出力画面の一部が切り取られて表示（トリミング）されてしまい、ＰＣの操作性が阻害される、あるいはＰＣ出力画面の全ての情報が見えない等の問題が生じる。
【００２６】
上記の問題は、次のようにして解決できる。すなわち、ＴＶ１００からＰＣ２００にＰＣ画面表示領域（図５の１２２ｂ）の解像度情報を送る。ＰＣ２００はその解像度情報を検知し、ユーザがＰＣ２００を操作することなくＴＶ１００に出力する映像の画面サイズ（解像度）を小さく設定する。ＴＶ１００は、ＰＣ２００からの出力解像度（画面サイズ）が適度に小さく、表示領域にそのまま表示させればよい場合、スケーリングやトリミングを行う必要はない。その場合は、スケーリングによって文字が縮小されて見難くなること、あるいはトリミングによる表示情報の欠けによってＰＣの操作性が阻害されるといったことがなくなる。
【００２７】
図６（ｃ）、（ｅ）はどちらも、この発明の一実施の形態が適用された場合の２画面表示モードにおけるＰＣ出力画面を例示している。（図６（ｃ）、（ｅ）は、解像度情報を受け取ったＰＣ２００が行う内部的な処理での例となっている。）図６（ｃ）は、ＰＣ２００のＯＳ（オペレーティングシステム）上のウィンドウが重なって表示されている状態を例示している。この例では、ＰＣ２００の画面サイズ（表示解像度）が変更されると同時に、画面サイズ変更前には比較的離れていたウィンドウ（図６（ａ）、（ｂ）、（ｃ）のウィンドウ）が、画面サイズ変更後の画面の中に納まるよう位置とサイズが変更されている。一方、図６（ｅ）の例では、画面サイズが変更されると同時に、ＯＳ上のウィンドウ（ここでは文字入りウィンドウ）は最大化されて画面サイズに自動的に合わせられている。
【００２８】
図７、図８は図４、図５の別例を示す。図４では映像出力装置２００としてノート型パーソナルコンピュータ（ノートＰＣ）を例示しているが、図７では標準解像度（ＳＤ）等のビデオ映像を出力するデジタルビデオレコーダ（ＤＶＤレコーダなど）を映像出力装置２００ａとして例示している。レコーダ２００ａも図１の映像出力装置２００と同様な構成を内蔵している。レコーダ２００ａは、例えばＨＤＭＩ−ＣＥＣコマンドにより映像表示装置（デジタルＴＶ）１００から表示解像度等の情報（表示エリアの水平垂直比または横縦サイズの情報も含む）を受けると、信号処理部２０６において、ＳＤ映像の左右両端の表示部分を切り取る処理を行う。その切り取り方は、ＴＶ１００側のＳＤ映像表示領域１２２ｂの水平垂直比に合わせて行う。
【００２９】
例えば、オリジナルＳＤ映像のアスペクト比（水平垂直比）が４：３（あるい横サイズ＊縦サイズが４８０ドット＊６４０ドット）でありＴＶ１００側のＳＤ映像表示領域１２２ｂの水平垂直比が３：３（あるい横サイズ＊縦サイズが４８０ドット＊４８０ドット）であるとする。この場合、オリジナルＳＤ映像の縦方向を３として横方向（オリジナルは４）の左右がそれぞれ１／２づつカットされる。あるいは、オリジナルＳＤ映像の縦サイズを４８０ドットとして横サイズ（オリジナルは６４０ドット）の左右がそれぞれ８０ドットづつカットされる。
【００３０】
図８の左側はアスペクト比が１６：９の表示部１２２にアスペクト比４：３のオリジナルＳＤ映像が１画面表示される場合を例示している。１６：９の画面に４：３の映像を縦サイズを合わせてはめ込むと左右にブランクエリアが生じる。この表示部１２２が２画面表示に切り替わると、図８の右側に例示されるように、ＳＤ映像表示領域１２２ｂはアスペクト比が３：３になって左右の表示エリアが狭くなる。この狭くなったＳＤ映像表示領域１２２ｂに、オリジナルより左右が狭くなった（左右の画面が少しカットされた）ＳＤ映像が表示されることになる。文字のない絵が主体のビデオ映像では、画面の左右がオリジナルから少々カットされても実用上は十分に映像コンテンツを楽しむことができる。
【００３１】
＜変形例＞
＊映像出力装置は、デジタルビデオレコーダ／プレーヤ、外部チューナ（ＳＴＢ）、ネットワークインターフェース等でもよい。映像表示装置１００と映像出力装置との接続は、有線、無線等、任意の方法でよい。また、映像信号の伝送と、解像度情報等の制御信号の伝送には、別の信号線または別の無線帯域を用いてもよい。
【００３２】
＊映像表示装置１００から送出される解像度の情報は、所定構造のデータや予め規定されたコマンド等で送信できる。ユーザが望まないときは多画面表示モードを停止する機能を持ってもよい。この場合、停止機能は、映像表示装置、映像出力装置のどちらがもっていてもよい。
【００３３】
＊解像度情報を受け取った映像出力装置が映像信号に対して行う処理には、映像のスケーリングやトリミング等任意の処理が含まれる。例えば、出力解像度変更処理、トリミング処理、スケーリング処理の他に、Ｎ倍速再生用補間画像作成処理（Ｎは通常２〜３２程度）、低解像度ＳＤ（Standard Definition）画像を高解像度ＨＤ（High Definition）画像にアップコンバートする超解像度処理、ＨＤ画像をＳＤ画像にダウンコンバートする処理、カラー映像をモノクロ映像にする処理、画像の一部をカットする処理などを行うことができる。また、ＳＤ画像〜ＨＤ画像間のコンバートに伴い出力装置と表示装置との間の映像信号転送レートを変更してもよい（ＳＤ画像を出力するときはＨＤ画像対応の高転送レートは不要）。
【００３４】
＜実施の形態のまとめ＞
１．映像表示装置において、単一または複数の映像を、同時に映像表示装置で表示する場合、表示領域の解像度の情報を、任意の方法で映像出力装置に出力する。
【００３５】
２．映像出力装置は、入力された解像度の情報をもとに対応した処理を行い、映像表示装置に映像を出力する。
【００３６】
ここで、映像表示装置の解像度に関する情報は動的に変化し得るものであり、その情報を映像出力装置に出力する。
【００３７】
３．映像表示装置と映像出力装置を接続した後も、映像表示装置の状態に応じ、映像表示装置側の主導で、映像出力装置が映像表示装置に出力する映像の解像度は変化する。これにより、ユーザの使用用途に適した解像度の映像を、映像表示装置で表示することができる。
【００３８】
＜実施の形態の効果＞
複数の映像を同時表示する場合に、映像表示装置が具備する通知手段により、表示エリアの解像度情報を映像出力装置へ通知するため、映像表示装置側が表示解像度の決定等に関する主導権を握ることができる。
【００３９】
＜実施の形態と発明との対応例＞
（１）映像出力装置（ＰＣ、ＳＴＢ、デジタルビデオレコーダ／プレーヤ等）に接続（有線または無線）可能であって、接続された前記映像出力装置との間で映像情報（ＡＶ情報）および制御コマンド（ＨＤＭＩ−ＣＥＣ、ＡＶ／Ｃコマンド等）が転送可能に構成されたデジタルインターフェイス（１１２〜１１８：ＨＤＭＩ、ＩＥＥＥ１３９４等）と、
前記デジタルインターフェイスを介して前記映像出力装置から送られてくる前記映像情報（ＡＶ情報）に存在する外部映像（ＰＣからのｗｅｂ画像など）または前記デジタルインターフェイスを介さないで得られる内部映像（ＴＶの内臓チューナからの放送番組映像など）を含めて、１または複数の映像（外部映像および／または内部映像）を表示する１または複数の表示エリアを有する映像表示手段（１２２）と、
前記外部映像を含めて複数の映像（例えばＰＣからの外部映像とＴＶ内臓チューナからの内部映像）を前記映像表示手段が同時に表示する場合に、前記表示エリアの解像度情報を、前記制御コマンドを用いて前記映像出力装置へ通知する通知手段（１１０〜１１８）
を具備した映像表示装置（デジタルＴＶ、ビデオ表示機能付ＰＣ、ビデオ表示機能付携帯電話、プロジェクタ等）。
【００４０】
（２）前記通知手段が前記映像出力装置に前記解像度情報を通知するモードを設け、（ユーザによるリモコン操作などにより）このモードに入ったら、（映像出力装置からの問い合わせを待たないで）前記通知手段が前記映像出力装置に前記解像度情報を通知するように構成した（１）の映像表示装置。
【００４１】
（３）前記デジタルインターフェイスを介して前記映像出力装置と前記映像表示装置の間の論理的な接続が確立したときに、（映像出力装置からの問い合わせを待たずデフォルトで）前記通知手段が前記映像出力装置に前記解像度情報を通知するように構成した（１）の映像表示装置。
【００４２】
（４）前記映像表示手段は複数種類の表示解像度（ＳＤ解像度、ＨＤ解像度など）を持ち、この表示解像度が変更された場合に、前記通知手段が前記映像出力装置に前記解像度情報を通知するように構成した（１）の映像表示装置。
【００４３】
（５）前記映像表示手段の表示エリアは１ないし複数種類の固定サイズまたは可変サイズを持ち、前記外部映像を表示する表示エリアの現在サイズ情報（現在の外部映像用縦横サイズ）を前記通知手段が前記映像出力装置へ通知するように構成した（１）〜（４）の映像表示装置。
【００４４】
（６）映像情報（ＡＶ情報）および制御コマンド（ＨＤＭＩ−ＣＥＣ等）が転送可能に構成された第1のデジタルインターフェイス（１１２：ＨＤＭＩ等）を備えた映像表示装置（１００: デジタルＴＶ等）と、映像情報（ＡＶ情報）および制御コマンド（ＨＤＭＩ−ＣＥＣ等）が転送可能に構成され前記第1のデジタルインターフェイスに接続される第２のデジタルインターフェイス（２０２：ＨＤＭＩ等）を備えた映像出力装置（２００：ＰＣ等）を含む映像システム（図１）において、
前記映像表示装置（１００）は、前記第１および第２のデジタルインターフェイス（１１２、２０２）を介して前記映像出力装置（２００）から送られてくる前記映像情報に存在する外部映像または前記第１および第２のデジタルインターフェイスを介さないで得られる内部映像を含めて１または複数の映像を表示する１または複数の表示エリア（１２２ａ、１２２ｂ）を有する映像表示手段（１２２）と、前記外部映像を含めて複数の映像（外部映像と内部映像、または外部映像と別の外部映像）を前記映像表示手段（１２２）が同時に表示する場合に前記表示エリア（１２２ａ、１２２ｂ）のサイズ情報と前記表示エリア（１２２ａ、１２２ｂ）の解像度情報を前記制御コマンドにより前記映像出力装置へ通知する通知手段（１１０〜１１２）を具備し、
前記映像出力装置（２００）は、前記制御コマンドにより通知された前記サイズ情報と前記解像度情報をもとに、前記第１および第２のデジタルインターフェイス（１１２、２０２）を介して前記映像表示装置（１００）へ送る前記外部映像に所定の処理（出力解像度変更処理、Ｎ倍速再生用補間画像作成処理、低解像度ＳＤ画像を高解像度ＨＤ画像にアップコンバートする超解像度処理など）を加える手段（２０８）を具備し、処理後の前記外部映像が前記映像表示装置の表示エリア内で適正に表示されるように構成した映像システム。
【００４５】
（７）前記外部映像と前記内部映像が同時に並んで表示される場合において、前記外部映像の表示の大きさが相対的に小さくなりすぎる（図６（ｂ））ときは、前記表示エリアとの比較において前記外部映像の表示サイズ（画素サイズ）が相対的に大きくなるように構成される（６）の映像システム。（表示部１２２で多画面同時表示がされる場合、そのうちの１画面で上記の処理を行ってもよい。）
（８）前記外部映像と前記内部映像が同時に並んで表示される場合において、前記外部映像の一部が欠けてしまう（図６（ｄ））ときは、前記外部映像の一部欠けが取り除かれるように構成される（６）の映像システム。（表示部１２２で多画面同時表示がされる場合、そのうちの１画面で上記の処理を行ってもよい。）
（９）前記外部映像と前記内部映像が同時に並んで表示される場合において、前記外部映像（ｗｅｂ画像など）が文字を含むときは、前記内部映像（ＴＶ番組など）の視聴位置において前記文字が判読できるように前記外部映像の表示サイズおよび／またはその解像度が定められる（６）の映像システム。（例えば、表示画面の高さをＨとするとき画面の法線方向に５Ｈ離れた位置で視力０．５の人が視聴することを想定し、特定フォントサイズの複数文字入り映像サンプルと複数の被験者を用いて、「視聴位置において文字が判読できるような外部映像の解像度」を何種類かの表示サイズ毎に実験的に定めておき、そのデータをメモリ１００ａに書き込んでおく。）
(１０) 映像出力装置（２００）との間で映像情報および制御コマンドが転送可能に構成されたデジタルインターフェイス（１１２）を有する映像表示装置（１００）を用い、前記デジタルインターフェイスを介して前記映像出力装置（２００）から送られてくる前記映像情報に存在する外部映像または前記デジタルインターフェイスを介さないで得られる内部映像を含めて、１または複数の映像を表示する方法において、
前記外部映像を含めて複数の映像（例えばＰＣからの外部映像とＴＶ内臓チューナからの内部映像）を同時に表示する場合に、その表示エリアの解像度情報を、前記制御コマンドを用いて前記映像表示装置（１００）から前記映像出力装置（２００）へ通知する（ＳＴ１２０）映像表示方法。
【００４６】
（１１）映像出力装置から送られてくる映像（ビデオ再生映像等）または放送受信装置から送られてくる映像（放送番組映像等）を含めて、１または複数の映像を表示する１または複数の表示エリアを有する映像表示手段（１２０〜１２２）と、前記複数の映像（例えばビデオ再生映像と放送番組映像）を前記映像表示手段で同時に表示させる際に、前記映像表示手段（１２０〜１２２）へ複数画面（１２２ａ、１２２ｂ）の表示を命令する命令手段（１０２〜１０８）と、前記命令手段の命令に従い前記複数の映像を前記映像表示手段が同時に表示する場合に、前記表示エリアの解像度情報を前記映像出力装置へ通知する通知手段（１１０）を具備した映像装置。
【００４７】
なお、この発明は前述した実施の形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４８】
【図１】この発明の一実施の形態に係る映像表示装置および映像出力装置を含むシステム構成の一例を説明する図。
【図２】この発明の一実施の形態に係る映像表示方法における処理例を説明するフローチャート図。
【図３】映像出力装置（ＰＣ）と映像表示装置（デジタルＴＶ）のＨＤＭＩ接続が確立してＰＣ画面をＴＶ側に送る初期段階を説明する図。
【図４】映像表示装置（デジタルＴＶ）から映像出力装置（ＰＣ）へ制御コマンド（ＨＤＭＩ−ＣＥＣ）により表示解像度情報が送られる段階を説明する図。
【図５】１画面表示が２画面表示（ＰＣ画面と放送画面）に切り替わった場合を説明する図。
【図６】映像出力装置（ＰＣ）からのＰＣ画面が映像表示装置（デジタルＴＶ）の２画面表示エリアにどのように表示されるかを例示する図。
【図７】映像表示装置（デジタルＴＶ）から映像出力装置（デジタルビデオレコーダ）へ制御コマンド（ＨＤＭＩ−ＣＥＣ）により表示解像度情報が送られる段階を説明する図。
【図８】１画面表示が２画面表示（レコーダ画面と放送画面）に切り替わった場合を説明する図。
【符号の説明】
【００４９】
１００…映像表示装置；２００、３００、４００、５００…映像出力装置；１０２…リモートコントローラ；１０４…リモートコントローラ受信部；１０６…ユーザ操作部；１０８…ユーザ操作制御部；１１０…解像度情報生成部；１１２…ＨＤＭＩインターフェイス（ＨＤＭＩレシーバ）；１２０…映像出力処理部；１２２…映像表示部；２０２…ＨＤＭＩインターフェイス（ＨＤＭＩトランスミッタ）；２０４…解像度制御部；２０６…解像度変更等の信号処理部；２０８…映像信号出力部。
【図１】
2010108372.tif 000003
【図２】
2010108372.tif 000004
【図３】
2010108372.tif 000005
【図４】
2010108372.tif 000006
【図５】
2010108372.tif 000007
【図６】
2010108372.tif 000008
【図７】
2010108372.tif 000009
【図８】
2010108372.tif 000010